(57)【要約】 【課題】  製造コストの上昇を招くことなく、コネクタに対するフラットケーブルの組み付け性の改善を図ることを目的とする。【解決手段】  フラットケーブル用端子６０は、回路基板１０に接続される脚部６１とＦＦＣ３０に接続されるジョイント部６３よりなる。ジョイント部６３は上下一対の弾性変位可能な対向片、すなわち上側片部６４と下側片部６８とからなる。上側片部６４の先端部６５の下部には弧状の接面６６が形成されている。ＦＦＣ３０が差し込まれると、上側片部６４はＦＦＣ３０に押されて上方へ弾性変形しＦＦＣ３０の挿入動作を許容するとともに、接面６６の頂点部６６ＡがＦＦＣ３０の導電体３１に弾接する。この接面６６は折り返し縁によって構成されるから、その表面は打ち抜き加工の影響を受けず凹凸のない滑らかな面となる。従って、ＦＦＣ３０を挿入する際の挿入抵抗が小さくなり、組み付け性に優れる。【選択図】  図８
2005166364.tif 000002
【特許請求の範囲】
【請求項１】
回路基板上に取り付けられて同回路基板上の導電路と、少なくともフラットケーブルの端末の一面に露出される導電体とを導通させるフラットケーブル用端子であって、
前記回路基板の導電路に対して接続可能とされた脚部と、
前記フラットケーブルの導電体に対して弾接可能とされた接点を設けたジョイント部とを備えてなるとともに、
前記ジョイント部はその一部を折り返して形成され、当該折り返し縁によって前記接点が構成されることを特徴とするフラットケーブル用端子。
【請求項２】
前記ジョイント部のうち前記折り返し縁を形成する折り返し部は、
折り返し前の状態においては、その板厚寸法が当該折り返し部以外の他の部分の板厚寸法のほぼ半分の厚さとされるが、
密着状に折り返されることで、折り返し後には、当該密着部分の板厚寸法が当該折り返し部以外の他の部分の板厚寸法とほぼ等しくなる寸法設定であることを特徴とする請求項１記載のフラットケーブル用端子。
【請求項３】
前記折り返し縁は、弧状をなす構成であることを特徴とする請求項１又は請求項２記載のフラットケーブル用端子。
【発明の詳細な説明】
【技術分野】
【０００１】
本発明は、フラットケーブル用端子に関する。
【背景技術】
【０００２】
ＦＦＣ（フレキシブルフラットケーブル）等のシート状導電体に接続される端子金具として、回路基板側に接続される脚部と、ＦＦＣに弾接される弾性接触片を備えたものが知られている（特許文献１）。
端子金具は平板状の板材を略Ｖ字状に打ち抜いて形成される。端子金具の一辺には前記脚部が設けられており、回路基板に対してはんだ付けにより固定されるようになっている。一方、端子金具の他方側の辺は弾性変位可能な弾性接触片とされている。この弾性接触片はＦＦＣがコネクタ内に挿入される過程においては、ＦＦＣに摺接した状態にあって、ＦＦＣの挿入動作が完了したときには、その板厚面がＦＦＣの導電路に対して弾接するようになっている。
【特許文献１】実開平６−８８０７９号公報
【発明の開示】
【発明が解決しようとする課題】
【０００３】
上記構造によれば、コネクタに対してＦＦＣを挿入する際に、ＦＦＣの導電体と弾性片の板厚面とが擦れ合った状態にあるが、端子金具は板材を打ち抜いて形成されるから、その板厚面には剪断面と破断面が現れる。そのため、ＦＦＣの挿入作業の際に、ＦＦＣが端子金具の破断面に引っ掛ってしまうと、挿入抵抗が大きくなる場合があり組み付け性が悪くなってしまう。これを、解消しようとすると、端子金具を加工した後に、後メッキをする方策が考えられるが、この場合には製造工程数の増加に伴い製造コストが高くなってしまい、改善の余地があった。
本発明は上記のような事情に基づいて完成されたものであって、製造コストの上昇を招くことなく、コネクタに対するフラットケーブルの組み付け性の改善を図ることを目的とする。
【課題を解決するための手段】
【０００４】
上記の目的を達成するための手段として、請求項１の発明は、回路基板上に取り付けられて同回路基板上の導電路と、少なくともフラットケーブルの端末の一面に露出される導電体とを導通させるフラットケーブル用端子であって、前記回路基板の導電路に対して接続可能とされた脚部と、前記フラットケーブルの導電体に対して弾接可能とされた接点を設けたジョイント部とを備えてなるとともに、前記ジョイント部はその一部を折り返して形成され、当該折り返し縁によって前記接点が構成される構成であるところに特徴を有する。
【０００５】
請求項２の発明は、請求項１に記載のものにおいて、前記ジョイント部のうち前記折り返し縁を形成する折り返し部は、折り返し前の状態においては、その板厚寸法が当該折り返し部以外の他の部分の板厚寸法のほぼ半分の厚さとされるが、密着状に折り返されることで、折り返し後には、当該密着部分の板厚寸法が当該折り返し部以外の他の部分の板厚寸法とほぼ等しくなる寸法設定であるところに特徴を有する。
【０００６】
請求項３の発明は、請求項１又は請求項２に記載のものにおいて、前記折り返し縁は、弧状をなす構成であるところに特徴を有する。
【発明の効果】
【０００７】
＜請求項１の発明＞
請求項１の発明によれば、フラットケーブルに対する接点は折り返し縁よりなる。従って、その表面は板材の表面と同様の滑らかな面となるから、コネクタハウジングに対するフラットケーブルの挿入性に優れる。
【０００８】
＜請求項２の発明＞
請求項２の発明によれば、折り返し後における折り返し部の板厚は、他の部分の板厚と同幅であるから、端子金具の幅が板厚方向に関して拡張されることがない。
【０００９】
＜請求項３の発明＞
請求項３の発明によれば、折り返し縁は弧状をなすから、フラットケーブルの導電体に対する接圧が高くなる。
【発明を実施するための最良の形態】
【００１０】
本発明の一実施形態を図１ないし図１１によって説明する。
図１に示す１０は回路基板であって、その上面の端部にはＦＦＣ（フレキシブルフラットケーブル）３０を回路基板１０に接続するためのコネクタ４０が固定されている。ＦＦＣ３０は、内部に一定ピッチ間隔で配された複数本の導電体３１の上下両面を樹脂製のフィルム３２で被覆してなるとともに、先端部（図１中、奥側）では上側のフィルム３２が剥ぎ取られて導電体３１が露出されている。また、先端部の下面には樹脂性の薄板よりなる補強材３３が貼り付けられており、先端部が屈曲しないように補強されている。
【００１１】
コネクタ４０は直方体形状のコネクタハウジング５０とフラットケーブル用端子（以下、単に端子金具という。）６０とを備えてなる。コネクタハウジング５０の内部には、ＦＦＣ３０を挿入するための収容室５１が形成されており、前面５０Ａに形成された差し込み口５２を介してＦＦＣ３０の先端部が収容室５１内に差し込まれるようになっている。差し込み口５２の内周のうち上下両縁部は内方へ斜めに切り欠かれて、案内面５２Ａが形成されており、収容室５１内へのＦＦＣ３０の挿入動作を案内するようになっている。また、図２に示すように、収容室５１の後部（同図の奥側）は収容室５１を複数の隔壁５３が一定ピッチ間隔で設けられており、各隔壁５３間を通じて、後方から次述する端子金具６０が収容室５１内に個別に挿入されるようになっている。
【００１２】
端子金具６０はメッキ処理（本実施形態においてはスズメッキ）が施された金属板製であって、回路基板１０に接続される脚部６１とＦＦＣ３０に接続されるジョイント部６３よりなる。脚部６１はブロック状をなすとともに、組み付け状態においてはコネクタハウジング５０の後面下縁部から後方へ突出するようになっている。更に、脚部６１の下面が回路基板１０の上面に設けられる導電路１１に対して対面するようになっており、図４に示すように、導電路１１に対してその前端及び後端がはんだ付けされるようになっている。また、本実施形態においては、はんだ付け可能な部位として前記した脚部６１の前後に加えて、脚部６１の下面であって長さ方向の中央部分にはんだ溝６２が形成されている。はんだ溝６２は脚部６１を左右に貫通して設けられており、そこへは、溶融はんだが進入可能とされている。このように、脚部６３の複数箇所をはんだ付けすることによって、回路基板１０に対する脚部６３の接続強度の向上を図っている。
【００１３】
ジョイント部６３はコネクタ４０に対するＦＦＣ３０の挿入方向に沿って伸びる上下一対の弾性変位可能な対向片、すなわち上側片部６４と下側片部６８とからなるとともに、図２に示すようにコネクタハウジング５０の収容室５１内に収容されるようになっている。これら両片部のうち下側片部６８の前端面は切り立つ垂直面とされ、収容室５１の差し込み口５２の周縁の内壁に対する当て面６８Ｂとなっている。そのため、組み付け時においては当て面６８Ｂが収容室５１の内壁に干渉することで、端子金具６０の挿入規制を行うようになっている。また、下側片部６８の上面は平坦面とされており、そこはＦＦＣ３０を下支えするための受け面６８Ａとなっている。
【００１４】
一方、上側片部６４の上面には段差６４Ａが設けられており、収容室５１の天井面５１Ａとの間に僅かな隙間を保有している。また、上側片部６４の先端部（図３に示すように先端からの幅寸法がＢである部分）６５の下部側は前記受け面６８Ａに向けて延設されており、受け面６８Ａと対向する部分には弧状の接面６６が形成されている。この接面６６は受け面６８Ａとの間に、ＦＦＣ３０に対する収容口７１を形成している。この収容口７１は、図３に示すようにコネクタハウジング５０に設けられる差し込み口５２の奥側（組み付け方向）に位置するとともに、その開口幅はＦＦＣ３０の厚さより若干狭く設定されている。
【００１５】
そのため、差し込み口５２にＦＦＣ３０が差し込まれると、上側片部６４はＦＦＣ３０に押されて上記僅かな隙間（撓み空間）内へ弾性変形しＦＦＣ３０の挿入動作を許容するとともに、接面６６の頂点部６６ＡがＦＦＣ３０の導電体３１に弾接するようになっている。尚、先端部６５が本発明の折り返し部に相当するものであり、頂点部６６Ａが接点に相当するものである。
【００１６】
ところで、端子金具６０は予め前記メッキ処理が施された金属製の板材を打ち抜いて形成されるが、上側片部６４の先端部６５は打ち抜き加工後の状態では、図１０に示すように、下方に張り出している。この張り出し部Ｓは、同図において一点鎖線で示す折れ線Ｌで図示上方、すなわち下縁側（図１０の下側）から上縁側（図１０の上側）へ折り返されるようになっており、その折り返し縁によって前記接面６６が構成されるようになっている。
【００１７】
このように接面６６が板材を折り曲げた曲げ面によって構成されるから、その表面は打ち抜き加工の影響（板厚面であればいわゆる破断面が出来る）を受けることがなく凹凸のない滑らかな面となるし、その表面には前記メッキ処理が施されている。従って、ＦＦＣ３０を組み付ける際の挿入抵抗が小さくなる。
【００１８】
また、折れ線Ｌは奥行き方向（ＦＦＣ３０の挿入方向）の中央部分に最下点があるような弧状をなす。そのため、ＦＦＣ３０を組み付ける際に、ＦＦＣ３０が接面（折り返し縁）６６の端部に引っかかることがなく、また、接圧も大きくとることが可能となる。
【００１９】
更に、図１１に示すように、上側片部６４の先端部６５の板厚は、その他の部分の板厚に比べてその厚さがほぼ半分となっており、更に、張り出し部Ｓの折り返し角度はほぼ１８０°とされ、折り返された部分が折り返されていない部分の板面に密着するようになっている（密着曲げ）。従って、図９に示すように、折り曲げ加工後の先端部６５の板厚が他の部分の板厚とほぼ等しくなるような構成となっている。このような構成とすることで、端子金具６０の幅寸法が板厚方向に関して拡張されることがない。
【００２０】
尚、折り返し前の状態において先端部６５の板厚が他の部分の板厚に比べて薄くなっているが（部分的に金属材の板厚が異なる構成となっている）、これにはロール成形によって板材の断面そのものを異形とするもの、或いはプレスによって圧力を加えることで部分的に板厚を変化させるもの等が考えられるが、本実施形態においては、後者を採用することとしている。また、下側片部６８の付け根部には係止突起（図示せず）が形成される一方、収容室５１の底面には係止突起に対する受け部（図示せず）が設けられており収容室５１内に収容された各端子金具６０を抜け止めするようになっている。
【００２１】
続いて、本実施形態の作用効果について説明する。
ＦＦＣ３０をコネクタ４０に対して組み付けるには、ＦＦＣ３０を補強材３３を下に向けた状態でコネクタ４０の差し込み口５２に対して位置合わせするとともに、その状態から、ＦＦＣ３０をコネクタ４０の収容室５１に向けて押し込む。すると、ＦＦＣ３０は差し込み口５２に設けられる案内面５２Ａによる案内作用をうけて水平姿勢を保ったまま収容室５１内へと挿入されてゆき、やがて、ＦＦＣ３０の導電体３１が各端子金具６０の接面６６に対して当接する。
【００２２】
この状態から、更に、ＦＦＣ３０を収容室５１内に押し込むと、各端子金具６０の上側片部６４が弾性変位するため、ＦＦＣ３０は導電体３１と接面６６が擦れ合いながら両片部６４、６８間の隙間に差し込まれてゆく。かくして、ＦＦＣ３０は両片部６４、６８によって強く挟み付けられる。この状態においては、端子金具６０の接面６６の頂点部６６ＡがＦＦＣ３０の導電体３１に導通接触するため、ＦＦＣ３０と回路基板１０とが接続されることとなる。
【００２３】
このように、コネクタ４０に対してＦＦＣ３０を組み付ける際に導電体３１と接面６６とが摺接した状態にあるが、接面６６はメッキ面であり、その表面は打ち抜き加工の影響を受けず滑らかなものである。従って、組み付け作業を円滑に行うことが出来る。また、折り返し後における先端部６５の板厚は、他の部分の板厚と同幅であるから、端子金具６０の幅が板厚方向に関して拡張されることがない。
【００２４】
また、接面６６が予めメッキ処理が施された板材のメッキ面を折り返して形成されるから、成形後に、あらためてメッキ処理等と行う場合と比較して、製造コストの低減にもなる。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２６】
（１）本実施形態では、上側片部６４と下側片部６８によってＦＦＣ３０を挟み付ける構成としたが、接面６６がＦＦＣ３０の導電体３１に弾接する構成であればよく、例えば、下側片部６８を廃止して収容室５１の内壁と上側片部６４によってＦＦＣ３０を挟み付ける構成でもよい。
【００２７】
（２）本実施形態では、下側片部６８の上面を平坦な構成としたが、図１３に示すように、打ち抜き加工時における加工性向上のために張り出し部Ｓに対する逃がし凹部８１を設けてもよい。
【００２８】
（３）本実施形態では、接面６６を弧状をなす形態としたが、ＦＦＣ３０の挿入方向に沿った水平面により構成してもよい。
【図面の簡単な説明】
【００２９】
【図１】本発明の一実施形態に係るＦＦＣ並びに、コネクタの斜視図
【図２】コネクタの一部を切り欠いた斜視図
【図３】コネクタの断面図
【図４】ＦＦＣの組み付け動作を示す断面図
【図５】ＦＦＣの組み付け動作が完了した状態を表す断面図
【図６】コネクタの断面図
【図７】フラットケーブル用端子の斜視図
【図８】フラットケーブル用端子の正面図
【図９】フラットケーブル用端子の側面図
【図１０】フラットケーブル用端子の展開図
【図１１】図１０中のＡ−Ａ線断面図
【図１２】他の実施例を表す図
【符号の説明】
【００３０】
１０…回路基板
１１…導電路
３０…フラットケーブル
３１…導電体
６０…フラットケーブル用端子
６１…脚部
６３…ジョイント部
６５…先端部
６６…接面
６６Ａ…接点
【図１】
2005166364.tif 000003
【図２】
2005166364.tif 000004
【図３】
2005166364.tif 000005
【図４】
2005166364.tif 000006
【図５】
2005166364.tif 000007
【図６】
2005166364.tif 000008
【図７】
2005166364.tif 000009
【図８】
2005166364.tif 000010
【図９】
2005166364.tif 000011
【図１０】
2005166364.tif 000012
【図１１】
2005166364.tif 000013
【図１２】
2005166364.tif 000014